(57)【要約】【課題】固体洗剤を塗布した後に塗布部分を擦る繊維製品に固体洗剤を馴染ませる作業を迅速かつ確実に行うことができる摩擦具及び部分洗い用容器入り固体洗剤を提供する。【解決手段】衣類等の繊維製品に塗布した固体洗剤Ｓを擦って馴染ませる摩擦具５を、棒状の部分洗い用容器入り固体洗剤１の長手方向端部に装着可能な基体６、及び、基体６に取着又は一体に形成された、固体洗剤Ｓを前記繊維製品に塗布した部分を擦る摩擦部材７から構成した。摩擦具５の基体６が棒状の部分洗い用容器入り固体洗剤１の長手方向端部に装着可能であることから、部分洗い用容器入り固体洗剤１に摩擦具５を装着しておけば、容器本体２を持って摩擦部材７により繊維製品に塗布した固体洗剤Ｓを擦る操作を行うことができるため、固体洗剤Ｓを繊維製品に馴染ませる作業を迅速かつ確実に行うことができる。【選択図】図３
0003165896.tif 000002
【実用新案登録請求の範囲】
【請求項１】
繊維製品に塗布した固体洗剤を擦って馴染ませる摩擦具であって、
棒状の部分洗い用容器入り固体洗剤の長手方向端部に装着可能な基体と、該基体に設けられた、前記固体洗剤を前記繊維製品に塗布した部分を擦る摩擦部材とからなることを特徴とする摩擦具。
【請求項２】
前記摩擦部材を、前記基体に固定された第１ブラシ及び前記基体により前記第１ブラシの毛体が伸びる方向にスライド可能に支持されるとともに前記第１ブラシの毛体間に毛体が位置する第２ブラシにより構成してなる請求項１記載の摩擦具。
【請求項３】
請求項１又は２記載の摩擦具が装着された棒状の部分洗い用容器入り固体洗剤。
【請求項４】
固体洗剤を収容した容器本体及び該容器本体の開口部を覆う蓋体からなる棒状の部分洗い用容器入り固体洗剤であって、
長手方向両端部の少なくともどちらかに、繊維製品に塗布した前記固体洗剤を擦って馴染ませる摩擦部材を取着又は一体に形成してなることを特徴とする部分洗い用容器入り固体洗剤。
【考案の詳細な説明】
【技術分野】
【０００１】
本考案は、繊維製品に塗布した固体洗剤を擦って馴染ませる摩擦具及びこの摩擦具が装着された部分洗い用容器入り固体洗剤並びに繊維製品に塗布した固体洗剤を擦って馴染ませる摩擦部材を備えた部分洗い用容器入り固体洗剤に関するものである。
【背景技術】
【０００２】
ワイシャツの襟若しくは袖口等の汚れが酷い部分又は染みが付いた部分等、通常の洗濯だけでは落ちにくい衣類等の繊維製品の部分汚れを落とすために用いられる部分洗い用容器入り液体洗剤として、容器本体を持って液体洗剤を塗布するもの（例えば、特許文献１参照。）及び容器本体を持って液体洗剤をスプレーするものがあり、同様に用いられる部分洗い用容器入り固体洗剤として、容器本体を持って固体洗剤を塗布するもの（例えば、特許文献２参照。）がある。
これらのような部分洗い用容器入り洗剤を用いて繊維製品の汚れの落ちにくい部分に洗浄力の強い洗剤を馴染ませる前処理を行った後に通常の洗濯をすることにより、衣類等の繊維製品の汚れを効果的に除去することができる。
【先行技術文献】
【特許文献】
【０００３】
【特許文献１】特許第３９７７９０２号公報
【特許文献２】実開昭５７−２１６５５号公報
【特許文献３】登録実用新案第３００２９９４号公報
【考案の概要】
【考案が解決しようとする課題】
【０００４】
部分洗い用容器入り液体洗剤は、繊維製品の部分汚れ箇所に対して液体洗剤を塗布又はスプレーする作業を行うことから、洗剤を付着させたい部分以外にも洗剤が付きやすいとともに液だれが生じやすいため、洗剤が無駄になりやすい。
その上、液だれが生じた際、繊維製品に塗布若しくはスプレーする際及び繊維製品を揉み合わせる際等に洗剤に手が触れやすく、手を汚したり肌を荒らす場合がある。
【０００５】
これに対して部分洗い用容器入り固体洗剤は、繊維製品の部分汚れ箇所に対して固体洗剤を直接塗布するため、狙った箇所に塗りやすく洗剤が無駄にならないとともに、洗剤に手が触れにくく手を汚したり肌を荒らすことが少ないという特長（例えば、特許文献２参照。）及び携帯に便利であるという特長（例えば、特許文献３参照。）がある。
しかしながら、部分洗い用容器入り固体洗剤は、繊維製品の部分汚れ箇所に塗布した固体洗剤が繊維の内部に入りにくいことから、固体洗剤を繊維に馴染ませるために揉み合わせる作業又はブラシにより擦る作業をより入念に行う必要がある。
【０００６】
ここで、洗剤に手が触れにくく手を汚したり肌を荒らすことが少ないという部分洗い用容器入り固体洗剤の特長を活かすためには、繊維製品の洗剤塗布部分を揉み合わせる作業ではなく前記洗剤塗布部分をブラシで擦る作業を行うのが望ましいものであるが、固体洗剤を用いていることから、液体洗剤を塗布するもの（例えば、特許文献１参照。）のようにブラシ付きとしてブラシの間に形成した孔から洗剤を出す構成を採用することができない。
したがって、従来の部分洗い用容器入り固体洗剤では、別体のブラシを用いる必要があるため、ブラシを配置した場所からブラシを持ってくる手間が掛かったり、ブラシが無い場合には、洗剤を繊維に馴染ませる前処理を行わないとその後の洗濯で汚れを効果的に除去できなくなり、繊維製品の洗剤塗布部分を揉み合わせる作業を行うと手間が余計に掛かったり洗剤に手が触れて手が汚れたり荒れることがある。
【０００７】
そこで本考案が前述の状況に鑑み、解決しようとするところは、固体洗剤を塗布した後に塗布部分を擦る繊維製品に固体洗剤を馴染ませる作業を迅速かつ確実に行うことができる摩擦具及び部分洗い用容器入り固体洗剤を提供する点にある。
【課題を解決するための手段】
【０００８】
本考案に係る摩擦具は、前記課題解決のために、繊維製品に塗布した固体洗剤を擦って馴染ませる摩擦具であって、棒状の部分洗い用容器入り固体洗剤の長手方向端部に装着可能な基体と、該基体に設けられた、前記固体洗剤を前記繊維製品に塗布した部分を擦る摩擦部材とからなることを特徴とする。
このような摩擦具の構成によれば、摩擦具の基体が棒状の部分洗い用容器入り固体洗剤の長手方向端部に装着可能であることから、部分洗い用容器入り固体洗剤の長手方向端部に摩擦具を装着しておけば、部分洗い用容器入り固体洗剤の容器本体を持って摩擦具の摩擦部材により繊維製品に塗布した固体洗剤を擦る操作を行うことができるため、固体洗剤を繊維製品に馴染ませる作業を迅速かつ確実に行うことができる。
【０００９】
その上、２個の摩擦具をそれらの摩擦部材の硬さや剛性を変えたものとして部分洗い用容器入り固体洗剤の長手方向両端部に装着しておくことにより、繊維製品の素材に応じて使い分けることができるため、摩擦具により固体洗剤を繊維製品に馴染ませて部分汚れを落とす効果を高めながら繊維製品の損傷を抑制することができる。
その上さらに、部分洗い用容器入り固体洗剤の長手方向両端部に装着する２個の摩擦具を、一方の摩擦部材をブラシとし、他方の摩擦部材をスポンジとすることにより、繊維製品の素材に応じて使い分けることができるとともに、スポンジに水を含ませて繊維製品の固体洗剤を塗布する部分を予め濡らす作業を容易に行うことができるため、さらに固体洗剤を繊維製品に馴染ませる効果を高めることができる。
【００１０】
ここで、前記摩擦部材を、前記基体に固定された第１ブラシ及び前記基体により前記第１ブラシの毛体が伸びる方向にスライド可能に支持されるとともに前記第１ブラシの毛体間に毛体が位置する第２ブラシにより構成してなると好ましい。
このような摩擦具の構成によれば、第２ブラシをスライドさせて第１ブラシに対して第２ブラシを進退させることにより摩擦部材の剛性を変えることができる。
したがって、１個の摩擦具を部分洗い用容器入り固体洗剤の長手方向端部に装着しておくことにより、繊維製品の素材に応じて摩擦部材の剛性を変えて使用することができるため、摩擦具により固体洗剤を繊維製品に馴染ませて部分汚れを落とす効果を高めながら繊維製品の損傷を抑制することができる。
【００１１】
また、本考案に係る部分洗い用容器入り固体洗剤は、前記摩擦具が装着されたものである。
さらに、本考案に係る部分洗い用容器入り固体洗剤は、前記課題解決のために、固体洗剤を収容した容器本体及び該容器本体の開口部を覆う蓋体からなる棒状の部分洗い用容器入り固体洗剤であって、長手方向両端部の少なくともどちらかに、繊維製品に塗布した前記固体洗剤を擦って馴染ませる摩擦部材を取着又は一体に形成してなることを特徴とする。
これらのような部分洗い用容器入り固体洗剤の構成によれば、容器本体を持って固体洗剤を繊維製品の部分汚れ箇所に直接塗布するため、狙った箇所に塗りやすく洗剤が無駄にならないとともに、洗剤に手が触れにくく手を汚したり肌を荒らすことが少ない。
その上、容器本体を持って摩擦部材により繊維製品に塗布した固体洗剤を擦ることにより、前記摩擦具と同様の作用効果を奏する。
その上さらに、部分洗い用容器入り固体洗剤は上述のとおり携帯に便利であることから、旅行又は出張等の際に外出先で使用する場合もあり、外出先ではブラシが無いことが多いため、容器本体を持って摩擦部材により繊維製品に塗布した固体洗剤を擦って馴染ませることができる本考案には大きな利点がある。
【考案の効果】
【００１２】
以上のように、本考案に係る摩擦具及び部分洗い用容器入り固体洗剤によれば、容器本体を持って固体洗剤を繊維製品の部分汚れ箇所に直接塗布するため、狙った箇所に塗りやすく洗剤が無駄になることがなく、洗剤に手が触れにくく手を汚したり肌を荒らすことが少ないとともに、容器本体を持って摩擦部材により繊維製品に塗布した固体洗剤を擦る操作を行うことができるため、固体洗剤を繊維製品に馴染ませる作業を迅速かつ確実に行うことができるという顕著な効果を奏する。
【図面の簡単な説明】
【００１３】
【図１】本考案の実施の形態に係る摩擦具を取り付けた状態の部分洗い用容器入り固体洗剤を示す斜視図である。
【図２】正面図であり、（ａ）は部分洗い用容器入り固体洗剤の上端部に摩擦具を取り付けた状態を、（ｂ）は部分洗い用容器入り固体洗剤から摩擦具を取り外した状態を示している。
【図３】図１の状態から摩擦具を取り外し、さらに蓋体を取り外した状態を示す斜視図である。
【図４】部分洗い用容器入り固体洗剤に摩擦具を取り付けた状態の縦断正面図である。
【図５】正面図であり、（ａ）は部分洗い用容器入り固体洗剤の上下端部に摩擦具を取り付けた状態を、（ｂ）は部分洗い用容器入り固体洗剤から摩擦具を取り外した状態を示している。
【図６】摩擦部材の剛性を変えることができる摩擦具の例を示す縦断正面図であり、（ａ）は剛性が小さい場合を、（ｂ）は剛性が大きい場合を示している。
【図７】摩擦部材の方向を変えた摩擦具の例を示す斜視図である。
【図８】摩擦部材及び基体の形状を変えた摩擦具の例を示す斜視図である。
【図９】部分洗い用容器入り固体洗剤の上端部に摩擦部材を取り付けた例を示す斜視図である。
【図１０】部分洗い用容器入り固体洗剤の下端部に摩擦部材を取り付けた例を示す斜視図である。
【図１１】摩擦具に蓋体の機能を持たせた例を示す斜視図である。
【考案を実施するための形態】
【００１４】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、部分洗い用容器入り固体洗剤を立てた状態を基準にして上下方向を定義し、部分洗い用容器入り固体洗剤を立てた状態で側面側から見た図を正面図とする。
【００１５】
図１〜図４に示すように、部分洗い用容器入り固体洗剤（以下、単に「容器入り固体洗剤」という。）１は、棒状であり、略円柱状に成形した固体洗剤Ｓを収容部４Ａに収容した容器本体２及び容器本体２の開口部２Ａを覆う蓋体３からなる略円柱状のものである。
図３及び図４に示すように、キャップ状である蓋体３の下面開口３Ａ内に本体２上端部側面の段落ち部２Ｂを挿入することにより、すなわち蓋体３を容器本体２の上端部に外嵌することにより、容器本体２の開口部２Ａを塞いで密封することができるため、固体洗剤Ｓの劣化を防止することができる。
【００１６】
図３のように蓋体３を取り外した状態で、容器本体２の収容部４Ａにより垂直軸まわりに回転可能に支持された底部材４Ｂを所定方向へ回転することにより、図４に示す底部材４Ｂに立設されたねじ棒１１が所定方向へ回転し、ねじ棒１１に螺合して回転しない内底１２とともに固体洗剤Ｓが迫り上がる。
したがって、底部材４Ｂを回転して容器本体２の開口部２Ａから固体洗剤Ｓを所望量突出させた状態とし、容器本体２を持ちながら固体洗剤Ｓを衣類等の繊維製品の部分汚れ箇所に直接塗布することができるため、狙った箇所に塗りやすく固体洗剤Ｓが無駄にならないとともに、固体洗剤Ｓに手が触れにくく手を汚したり肌を荒らすことが少ない。
【００１７】
図１〜図４に示すように、本考案の実施の形態に係る摩擦具５は、衣類等の繊維製品に塗布した固体洗剤Ｓを、塗布後直ちに又は一定時間経過後に擦って繊維に馴染ませる（浸透させる）ものであり、棒状の容器入り固体洗剤１の長手方向端部Ｔ１又はＴ２（図２（ｂ）参照。）に装着可能な基体６と、基体６に設けられた、固体洗剤Ｓを前記繊維製品に塗布した部分を擦る摩擦部材であるブラシ７とからなる。
ここで、摩擦具５の基体６は、ポリプロピレン、ポリアセタール、ポリエチレンテレフタレート、ナイロン又はＡＢＳ等の合成樹脂により、例えば射出成形により形成され、ブラシ７は基体６と一体に形成してもよく、基体６と同一又は異なる素材の合成樹脂繊維を取り付けてもよい。
【００１８】
図２（ｂ）に示すように摩擦具５の基体６の開口６Ａ内に蓋体３を挿入することにより、すなわち蓋体３に基体６を外嵌することにより、図２（ａ）に示すように容器入り固体洗剤１に摩擦具５を容易に装着することができる。
なお、図１〜図４に示す例では摩擦具５を容器入り固体洗剤１の上端部に装着しているが、摩擦具５を容器入り固体洗剤１の下端部に装着してもよい。この場合には、摩擦具５の基体６の開口６Ａ内に容器本体２下端部の底部材４Ｂを挿入することにより、すなわち底部材４Ｂに基体６を外嵌することにより、容器入り固体洗剤１に摩擦具５を容易に装着することができる。
【００１９】
このような摩擦具５の構成によれば、摩擦具５の基体６が棒状の容器入り固体洗剤１の長手方向端部Ｔ１，Ｔ２に装着可能であることから、容器入り固体洗剤１の長手方向端部Ｔ１，Ｔ２に摩擦具５を装着しておけば、容器入り固体洗剤１の容器本体２を持って摩擦具５の摩擦部材（例えばブラシ７）により繊維製品に塗布した固体洗剤Ｓを擦る操作を行うことができるため、固体洗剤Ｓを繊維製品に馴染ませる作業を迅速かつ確実に行うことができる。
また、容器入り固体洗剤１は携帯に便利であることから、旅行又は出張等の際に外出先で使用する場合もあり、外出先ではブラシが無いことが多いため、摩擦具５を容器入り固体洗剤１に装着しておくメリットは大きい。
【００２０】
図５に示すように、２個の摩擦具５，５を容器入り固体洗剤１の長手方向両端部Ｔ１及びＴ２に装着してもよく、２個の摩擦具５，５をそれらの摩擦部材の硬さや剛性を変えたものとして容器入り固体洗剤１の長手方向両端部Ｔ１，Ｔ２に装着しておくことにより、繊維製品の素材に応じて使い分けることができるため、摩擦具５により固体洗剤を繊維製品に馴染ませて部分汚れを落とす効果を高めながら繊維製品の損傷を抑制することができる。
また、摩擦具５の摩擦部材はブラシ７ではなくスポンジ１０（図５の下側の摩擦具５参照。）としてもよく、摩擦部材をスポンジ１０とすることにより、スポンジに水を含ませて繊維製品の固体洗剤を塗布する部分を予め濡らす作業を容易に行うことができるため、さらに固体洗剤を繊維製品に馴染ませる効果を高めることができる。
なお、摩擦部材を、ブラシ又はスポンジではなくゴム等の他の素材としてもよい。
【００２１】
図６に示すように、摩擦具５の摩擦部材を、基体６に固定された第１ブラシ７Ａ及び基体６により第１ブラシ７Ａの毛体Ｈ１が伸びる方向にスライド可能に支持されるとともに第１ブラシ７Ａの毛体Ｈ１，Ｈ１，…間に毛体Ｈ２が位置する第２ブラシ７Ｂにより構成してもよく、基体６の開口６Ａの段落ち部６Ｂに容器入り固体洗剤１の長手方向端部（例えば蓋体３）を挿入することにより、摩擦具５を容器入り固体洗剤１に装着することができる。
このような構成によれば、第２ブラシ７Ｂ（毛体Ｈ２，Ｈ２，…）が取り付けられたスライド体９のつまみ９Ａを操作することにより第２ブラシ７Ｂをスライドさせて第１ブラシ７Ａに対して第２ブラシ７Ｂを進退させることにより摩擦部材の剛性を変えることができる。すなわち、図６（ａ）のように第２ブラシ７Ｂ（毛体Ｈ２，Ｈ２，…）の突出長さが小さいと剛性が小さくなり、図６（Ｂ）のように第２ブラシ７Ｂ（毛体Ｈ２，Ｈ２，…）の突出長さが大きいと剛性が大きくなる。
したがって、このような構成の１個の摩擦具５を容器入り固体洗剤１の長手方向端部に装着しておくことにより、繊維製品の素材に応じて摩擦部材の剛性を変えて使用することができるため、摩擦具５により固体洗剤Ｓを繊維製品に馴染ませて部分汚れを落とす効果を高めながら繊維製品の損傷を抑制することができる。
【００２２】
摩擦具５は、図１〜図６のようなブラシ７等の摩擦部材の方向が容器入り固体洗剤１の長手方向でなくてもよく、例えば図７に示すように摩擦具５の基体６を容器入り固体洗剤１に装着した状態で、摩擦部材の方向が前記長手方向から傾斜したものであってもよく、この傾斜角度は４５度、９０度等の適宜の角度に設定することができるため、繊維製品に塗布した固体洗剤Ｓを擦って馴染ませる作業を行う際の操作性を高めることができる。
なお、図７のように摩擦具５の基体６を曲げた形状にすることにより、摩擦具５を装着した容器入り固体洗剤１を横置きした際に転がらないという利点がある。
また、図８に示すように、摩擦具５の基体６及びブラシ７の形状を平面視矩形状としてもよく、このような形状にすることによっても摩擦具５を装着した容器入り固体洗剤１を横置きした際に転がらないという利点がある。なお、このような転がり防止という観点から、基体６の形状を平面視矩形状ではない平面視多角形状としてもよい。
あるいは、基体６の形状が平面視円形状である場合においても、側面に突起等の回転抑止部材を横設することにより、摩擦具５を装着した容器入り固体洗剤１を横置きした際に転がらないようにすることができる。
ここで、図８のようにブラシ７の形状を平面視矩形状にすることにより、繊維製品（例えば、ワイシャツの襟若しくは袖口等）に塗布した固形洗剤Ｓを擦って馴染ませる際に、繊維製品に均等に力を掛けやすいという利点もある。
【００２３】
さらに、容器入り固体洗剤１に対して別体の摩擦具５を装着する構成ではなく、容器入り固体洗剤１の長手方向端部Ｔ１，Ｔ２の少なくともどちらかに、容器入り固体洗剤１自体に摩擦部材を取着又は一体に形成してもよい。
すなわち、例えば、図９に示すように容器入り固体洗剤１の上端部Ｔ１（蓋体３）に摩擦部材であるブラシ８を取り付けてもよく、図１０に示すように容器入り固体洗剤１の下端部Ｔ２（底部材４Ｂ）に摩擦部材であるブラシ８を取り付けてもよい。
このような容器入り固体洗剤１自体に摩擦部材（例えば、ブラシ８）を設ける構成によっても、摩擦具５を容器入り固体洗剤１に装着する構成と同様の作用効果を奏する。
【００２４】
さらにまた、図１１に示すように、摩擦具５に蓋体３の機能を持たせるようにしてもよく、このような構成では、図１１（ａ）のように摩擦具５（蓋体３）を外して図１１（ｂ）のように容器本体２の下端部に装着しておき、容器本体２を持って繊維製品の部分汚れ箇所に固体洗剤Ｓを塗布した後、容器本体２を持ち替えて摩擦部材であるブラシ７により繊維製品に塗布した固体洗剤Ｓを擦って繊維に馴染ませることができる。
【００２５】
以上の説明においては、棒状の容器入り固体洗剤１の外観形状が略円柱状である場合を示したが、容器入り固体洗剤１は略角柱状等の他の外観形状であってもよく、摩擦具５の形状は容器入り固体洗剤１の形状に合わせて、その長手方向端部に装着可能な形状に製作される。
【符号の説明】
【００２６】
Ｓ  固体洗剤
Ｔ１，Ｔ２  長手方向端部
Ｈ１，Ｈ２  毛体
１  部分洗い用容器入り固体洗剤
２  容器本体
２Ａ  開口部
２Ｂ  段落ち部
３  蓋体
３Ａ  下面開口
４Ａ  収容部
４Ｂ  底部材
５  摩擦具
６  基体
６Ａ  開口
６Ｂ  段落ち部
７，８  ブラシ（摩擦部材）
７Ａ  第１ブラシ（摩擦部材）
７Ｂ  第２ブラシ（摩擦部材）
９  スライド体
９Ａ  つまみ
１０  スポンジ（摩擦部材）
１１  ねじ棒
１２  内底
【図１】
0003165896.tif 000003
【図２】
0003165896.tif 000004
【図３】
0003165896.tif 000005
【図４】
0003165896.tif 000006
【図５】
0003165896.tif 000007
【図６】
0003165896.tif 000008
【図７】
0003165896.tif 000009
【図８】
0003165896.tif 000010
【図９】
0003165896.tif 000011
【図１０】
0003165896.tif 000012
【図１１】
0003165896.tif 000013